(57)【要約】【課題】ヒンジピンと支持部材との間に作用する摩擦力を低減させることができ、ヒンジピンのスライド操作を円滑に行うことができる遊技機のヒンジ構造を提供すること。【解決手段】遊技機のヒンジ構造１０は、軸方向Ｌにスライド可能なヒンジピン３と、ヒンジピン３をスライド可能に支持する支持部材２と、ヒンジピン３をスライド操作するための操作部材４とを有している。ヒンジピン３は、その先端部３０１を支持部材２から突出させて、開閉部材１２の開閉軸１２０を形成するよう構成してある。操作部材４は、その回動支点部４３を中心に回動操作可能であり、ヒンジピン３の後端部３０２に連結した連結部４１と、当該操作部材４を操作するための操作部４２とを有している。操作部材４の操作部４２を操作することによって、ヒンジピン３の先端部３０１を支持部材２へ引き込むよう構成してある。【選択図】図１
2008012057.tif 000002
【特許請求の範囲】
【請求項１】
遊技機における枠体に対して、開閉部材を開閉可能に配設するためのヒンジ構造であって、
軸方向にスライド可能なヒンジピンと、
該ヒンジピンをスライド可能に支持する支持部と、
上記ヒンジピンをスライド操作するための操作部材とを有しており、
上記ヒンジピンは、その先端部を上記支持部から突出させて、上記開閉部材の開閉軸を形成するよう構成してあると共に、付勢部材によって、当該ヒンジピンの先端部が上記支持部から突出する方向に付勢されており、
上記操作部材は、その回動支点部を中心に回動操作可能であり、かつ、その一端側に上記ヒンジピンの後端側と連結する連結部を有すると共に、その他端側に当該操作部材を操作するための操作部を有しており、
上記操作部材の上記操作部を操作することによって、上記ヒンジピンの先端部を上記突出する方向とは反対方向にスライドするよう構成してあることを特徴とする遊技機のヒンジ構造。
【発明の詳細な説明】
【技術分野】
【０００１】
本発明は、遊技機において、枠体に対して開閉部材を開閉可能に配設するためのヒンジ構造に関する。
【背景技術】
【０００２】
パチンコ遊技機等の遊技機においては、例えば、遊技領域を備えた遊技盤を取り付けた前枠の前面に、上記遊技領域が見えるようガラス板を設けて形成したガラス扉を開閉可能に配設している。このガラス扉は、メンテナンス性等を考慮して上記前枠に対して着脱可能に配設している。
【０００３】
例えば、特許文献１の遊技機においては、枠体に対して開閉扉を開閉可能に取り付けるために支持部に配設されたヒンジピンに、開閉扉が開閉する際の開閉支点となる軸部と、この軸部に対して屈曲形成した操作部とを形成している。
また、ヒンジピンは、コイルスプリングによって、開閉扉を枠体に取り付けるための取付位置に付勢してあり、操作部を操作したときには、コイルスプリングの付勢力に抗して、開閉扉を枠体に対して着脱するための着脱位置にスライドさせる（ヒンジピンの軸方向に移動させる）ことができる。これにより、ヒンジピンのスライド操作が容易で、開閉扉の着脱が容易な遊技機を構成している。
【０００４】
しかしながら、上記従来のヒンジピンにおいては、軸部に対して屈曲形成した操作部をスライド操作する際には、軸部には偏心荷重（モーメント荷重）が加わることになる。そのため、軸部と、この軸部を支持する固定板の支持部との間に大きな摩擦力が作用し、ヒンジピンのスライド操作を円滑に行うためには十分ではなかった。また、この問題は、屈曲形成された操作部の長さを長くしたときには、一層顕著になってしまう。
【０００５】
【特許文献１】特開２００５−３７９号公報
【発明の開示】
【発明が解決しようとする課題】
【０００６】
本発明は、かかる従来の問題点に鑑みてなされたもので、ヒンジピンと支持部との間に作用する摩擦力を低減させることができ、ヒンジピンのスライド操作を円滑に行うことができる遊技機のヒンジ構造を提供しようとするものである。
【課題を解決するための手段】
【０００７】
本発明は、遊技機における枠体に対して、開閉部材を開閉可能に配設するためのヒンジ構造であって、
軸方向にスライド可能なヒンジピンと、
該ヒンジピンをスライド可能に支持する支持部と、
上記ヒンジピンをスライド操作するための操作部材とを有しており、
上記ヒンジピンは、その先端部を上記支持部から突出させて、上記開閉部材の開閉軸を形成するよう構成してあると共に、付勢部材によって、当該ヒンジピンの先端部が上記支持部から突出する方向に付勢されており、
上記操作部材は、その回動支点部を中心に回動操作可能であり、かつ、その一端側に上記ヒンジピンの後端側と連結する連結部を有すると共に、その他端側に当該操作部材を操作するための操作部を有しており、
上記操作部材の上記操作部を操作することによって、上記ヒンジピンの先端部を上記突出する方向とは反対方向にスライドするよう構成してあることを特徴とする遊技機のヒンジ構造にある（請求項１）。
【０００８】
本発明の遊技機のヒンジ構造は、上記ヒンジピンをスライド操作する（ヒンジピンの軸方向に移動操作する）ための操作部材を有している。そして、ヒンジピンは、操作部材を操作することによって、その先端部を支持部側へ後退させるように構成してある。また、操作部材は、その回動支点部を中心に回動操作可能であり、その一端側に上記連結部を有すると共に、その他端側に上記操作部を有している。
【０００９】
上記操作部材の操作部を操作していない状態においては、ヒンジピンの先端部が上記支持部から突出しており、ヒンジピンの先端部によって、上記開閉部材の開閉軸が形成されている。また、この状態においては、ヒンジピンは、付勢部材によって当該ヒンジピンの先端部を支持部から突出させる方向に付勢されている。そのため、ヒンジピンの先端部によって、開閉部材の開閉軸を安定して形成することができる。
【００１０】
一方、開閉部材を枠体から取り外す際には、操作部材の操作部を操作して、この操作部材を回動支点部を中心に回動させ、ヒンジピンの先端部を支持部側へ後退させる（上記突出する方向とは反対方向に引き込む）。このとき、テコの原理を利用することにより、操作部材の操作部に係る力は、操作部材の連結部からヒンジピンに対して、その軸方向へ移動させる力（スライドさせる力）として適切に伝達することができる。
これにより、ヒンジピンに加わる偏心荷重を効果的に減少させることができ、ヒンジピンのスライド方向（軸方向）に、操作部材の操作部の操作による荷重をより直接的に加えることができる。
【００１１】
それ故、本発明の遊技機のヒンジ構造によれば、ヒンジピンと支持部との間に作用する摩擦力を低減させることができ、ヒンジピンのスライド操作を円滑に行うことができる。
【発明を実施するための最良の形態】
【００１２】
上述した本発明における好ましい実施の形態につき説明する。
上記支持部は、上記開閉部材に直接形成することができ、また、開閉部材に配設した支持部材に形成することもできる。
また、上記支持部は、上記ヒンジピンの軸方向端部をそれぞれ支持するよう一対に形成し、上記付勢部材は、ヒンジピンの外周に装着すると共に、上記一対の支持部同士の間に配置したコイルスプリングとすることができる。この場合には、付勢部材によって、ヒンジピンを上記突出する方向に付勢する状態をコンパクトな形状で容易に構成することができる。
【００１３】
上記操作部材の回動支点部は、基点とした位置において操作部材を支えて回動させるよう構成することができる。また、回動支点部は、移動しながら操作部材を回動させるよう構成することもできる。具体的には、例えば、回動支点部は、開閉部材に形成した回動受け部に対してスライドしながら操作部材を回動させるよう構成することができる。この場合には、ヒンジピンの軸方向以外に発生する力（より詳しくは軸方向と交差する方向に発生する力）を容易に吸収する（減衰させる）ことができ、ヒンジピンに作用する摩擦力をより低減させることができる。
また、上記ヒンジ構造は、枠体側に配設することもできる。
【実施例】
【００１４】
以下に、本発明の遊技機１のヒンジ構造にかかる実施例につき、図面と共に説明する。
本例の遊技機１のヒンジ構造１０は、図１、図２、図３に示すごとく、遊技機１における枠体１１に対して、開閉部材１２を開閉可能に配設するための構造である。このヒンジ構造１０は、軸方向Ｌにスライド可能なヒンジピン３と、このヒンジピン３をスライド可能に支持する支持部材２と、ヒンジピン３をスライド操作するための操作部材４とを有している。
【００１５】
また、図１、図３に示すごとく、上記ヒンジピン３は、その先端部３０１を支持部材２から突出させて、開閉部材１２の開閉軸１２０を形成するよう構成してあると共に、付勢部材３５によって、当該ヒンジピン３の先端部３０１が支持部材２から突出する方向に付勢されている。また、上記操作部材４は、その回動支点部４３を中心に回動操作可能であり、かつ、その一端側にヒンジピン３の後端部（後端側）３０２に連結した連結部４１を有すると共に、その他端側に当該操作部材４を操作するための操作部４２を有している。図２に示すごとく、上記ヒンジ構造１０は、操作部材４の操作部４２を操作することによって、ヒンジピン３の先端部３０１を突出する方向とは反対方向にスライドさせるよう構成してある。
【００１６】
以下に、本例の遊技機１のヒンジ構造１０につき、図１〜図７と共に詳説する。
図３〜図６に示すごとく、本例の遊技機１は、パチンコ遊技機１である。本例の枠体１１は、遊技領域を備えた遊技盤１１０を取り付けた前枠１１であり、本例の開閉部材１２は、前枠１１の前面側に開閉可能に配設すると共に遊技領域を視認可能なガラス板１２３を設けてなるガラス扉１２である。このガラス扉１２は、メンテナンス性等を考慮して前枠１１に対して開閉可能であると共に着脱可能に配設している。前枠１１は、外枠１４の前面側に配設してあると共に、パチンコ遊技を制御する各種制御装置及び各種電気部品を配設してなり、ガラス扉１２は、プラスチック製の枠部１２１の裏側にガラス板１２３を配設してなる。
【００１７】
図３、図６に示すごとく、本例の支持部材２は、ガラス扉１２の枠部１２１に配設してある。より具体的には、支持部材２は、ガラス扉１２の枠部１２１に配設した防犯用板金１２２の一部を利用して形成してある。
また、図４、図６に示すごとく、ガラス扉１２は、その側部の上下に形成した開閉軸１２０によって開閉可能である。本例のヒンジ構造１０を形成するヒンジピン３は、ガラス扉１２の側部の上側に配設してあり、ヒンジピン３の軸方向（スライド方向）Ｌをガラス扉１２の上下方向Ｈに向けて、この上下方向Ｈにスライド可能に配設したスライドヒンジピン３である。また、ヒンジピン３は、その軸方向Ｌを、パチンコ遊技機１における上下方向Ｈに向けて配設してあり、本例のヒンジピン３の先端部３０１は上端部を形成し、後端部３０２は下端部を形成する。
【００１８】
また、図６に示すごとく、ガラス扉１２の側部の下側には、ヒンジピン３と共に開閉軸１２０を形成する固定ヒンジ部（嵌合孔）１５が形成してある。
また、図５に示すごとく、前枠１１には、ヒンジピン３の先端部３０１を回動可能に支持する上側の回動支持部（嵌合孔）１１１及び、固定ヒンジ部１５を回動可能に支持する下側の回動支持部（突出ピン）１１２が形成してある。
【００１９】
なお、上記枠体１１と開閉部材１２とは、上記前枠１１とガラス扉１２とする以外にも、パチンコ遊技機１における種々の枠部材と、これに開閉及び着脱可能に取り付けた種々の扉部材とすることができる。例えば、上記枠体１１は前枠１１とし、上記開閉部材１２は遊技球を貯留するために前枠１１の前面側に配設した球皿を有する球皿パネル１３とすることもできる。この場合には、例えば、上記ヒンジ構造１０は、球皿パネル１３の下端角部に設けることができる。
【００２０】
図３に示すごとく、本例のヒンジ構造１０は、ガラス扉１２の裏面側に配設してあり、ガラス扉１２を前枠１１に閉じた際には、ガラス扉１２の後方に隠され、操作部材４が操作できないようになっている。ここで、前面側とは、パチンコ遊技機１において遊技者に対向する側といい、裏面側とは、前面側とは反対側のことをいう。
【００２１】
本例においては、図１、図２に示すごとく、上記ヒンジピン３は、上記支持部材２に対してスライド可能に組み付けてある。
支持部材２には、ヒンジピン３の軸方向端部３０１、３０２をそれぞれ支持する一対の支持部２１が形成してあり、各支持部２１には、ヒンジピン３を挿通させるヒンジ穴２１１が形成してある。
【００２２】
本例の付勢部材３５は、圧縮したときに弾性反発力を生ずるコイルスプリング３５である。このコイルスプリング３５は、ヒンジピン３の外周に装着した状態で、一対の支持部２１同士の間に配置してある。また、ヒンジピン３の上側端部の近傍には、上側の支持部２１Ａの下側に位置すると共にコイルスプリング３５の上端部を掛止する掛止リング３１が装着してあり、コイルスプリング３５は、掛止リング３１と、下側の支持部２１Ｂとの間に配置してある。本例の掛止リング３１は、ヒンジピン３に形成した溝に係合させたＥリングである。
【００２３】
図１、図２に示すごとく、本例の操作部材４は、その連結部４１がヒンジピン３の後端部（下端部）３０２の近傍に連結してあり、その操作部４２を上方へ引き上げることによって、ヒンジピン３を下降させるよう構成してある。操作部材４の操作部４２は、操作性を考慮して、その先端操作部４２１が回動支点部４３よりも下方に位置するよう、下方へ屈曲形成してある。本例の操作部材４は、ヒンジピン３及び回動受け部１２４と摺動する部位の摩擦力を低減させるために、ポリアセタール（ＰＯＭ）、又はフッ素入りのポリカーボネイト（ＰＣＦ）等によって構成してある。
【００２４】
また、本例の操作部材４においては、回動支点部４３から先端操作部４２１までの距離が、回動支点部４３から連結用ピン３２までの距離よりも長くなっている。より具体的には、前者の距離は、後者の距離の２倍以上になっている。また、本例の回動支点部４３は、連結用ピン３２の近傍に形成してある。これにより、ヒンジピン３を直接下げる動作と同等の効果を得ることができる。
【００２５】
また、操作部材４は、下側の支持部２１Ｂと操作過程において接触する部分（当接する部分）が円弧形状を有している。これにより、操作部材４の滑らかな移動（若干の前後方向のスライド移動を含め）を補助している。
また、本例の回動支点部４３は、操作部材４から外側に向けて突出形成した円柱形状を有している。
【００２６】
本例の操作部材４の連結部４１は、ヒンジピン３の後端部３０２に形成した貫通穴及び、操作部材４の連結部４１に形成した一対の連結支持部２１における各貫通穴に、連結用ピン３２（本例ではスプリングピン）を挿通配置することによって、ヒンジピン３に連結してある。
図７に示すごとく、ガラス扉１２には、操作部材４の回動支点部４３を回動可能に支持する回動受け部１２４が形成してある。そして、図１、図２に示すごとく、ヒンジピン３の先端部３０１を支持部材２から突出させた状態から、支持部材２へ引き込んだ状態へ移行させる過程において、操作部材４は、その回動支点部４３を回動受け部１２４に対してパチンコ遊技機１の前後方向に若干スライドさせながら、この回動支点部４３を中心に回動するよう構成してある。このようにすることで、ヒンジピンの軸方向以外に発生する力（より詳しくは軸方向と交差する方向に発生する力）を容易に吸収する（減衰させる）ことができ、ヒンジピンに作用する摩擦力をより低減させることができる。
【００２７】
また、本例の回動受け部１２４は、回動支点部４３の下側位置に形成してある。また、ガラス扉１２には、回動支点部４３の上側位置において、操作部材４が不要に上方へ移動することを防止するための受け部１２５が形成してある。なお、回動受け部１２４は、支持部材２に形成することもできる。
【００２８】
また、図示は省略するが、上記回動受け部１２４は、回動支点部４３を位置を固定して回動支持する軸受部とし、連結部４１に、連結用ピン３２がスライド可能に係合する長穴を形成することもできる。この場合には、操作部材４を回動支点部４３を中心に回動させる際には、長穴内を連結用ピン３２が移動することにより、ヒンジピン３を円滑にスライド操作することができる。
【００２９】
また、図７に示すごとく、支持部材２には、操作部材４の操作部４２を挿入配置する挿入配置穴２２が形成してあり、この挿入配置穴２２には、ガラス扉１２を前枠１１に対して閉じた時（通常遊技時）に、その閉じる動作に伴って操作部材４の操作部４２が前枠１１側に設けられた当接部（図示略）に当接することにより案内されて、嵌り込まれる不正防止溝２２１が形成してある。
【００３０】
操作部材４及びヒンジピン３は、ヒンジピン３の軸方向Ｌに対する周方向に回すことが可能であり、操作部材４を回動操作するための操作可能状態と、この操作可能回転位置からヒンジピン３の軸方向Ｌに対する周方向に回転させることによって、操作部材４の他端側の部分を不正防止溝２２１内に配置する操作不能状態とを形成可能である。
【００３１】
そして、ヒンジピン３によってガラス扉１２の開閉軸１２０を形成し、このガラス扉１２を前枠１１に閉じた状態において、操作不能状態を形成したときには、遊技者等が不正にヒンジピン３を軸方向Ｌへスライドさせようとしても、回動支点部４３が回動受け部１２４に支持されることで、操作部材４が下方へ移動することが規制されると共に、操作部４２が不正防止溝２２１に支持されることで、操作部材４が上方へ移動することが規制されることも相まって、ヒンジピン３を下方にスライドさせることができなくなる。これにより、ガラス扉１２を前枠１１に対して閉じたときの防犯効果を向上させることができる。
【００３２】
上記操作部材４の操作部４２を操作していない状態においては、図１に示すごとく、ヒンジピン３の先端部３０１が支持部材２の上側の支持部２１Ａから突出しており、ヒンジピン３の先端部３０１によって、ガラス扉１２の開閉軸１２０が形成されている。また、ガラス扉１２を前枠１１に対して閉じ、遊技者によってパチンコ遊技可能な状態を形成したときには、操作部材４がガラス扉１２の後方に隠され、操作部材４が操作できないようになっている。さらに、パチンコ遊技可能な状態においては、上記のごとく、ヒンジピン３の不正なスライド操作もできなくなっている。
【００３３】
また、ガラス扉１２の開閉軸１２０としてのヒンジピン３を中心に、ガラス扉１２を前枠１１に対して開閉させるときには、コイルスプリング３５によって、ヒンジピン３の先端部３０１が支持部材２の上側の支持部２１Ａから突出した状態が維持される。これにより、ヒンジピン３の先端部３０１によって、ガラス扉１２の開閉軸１２０を安定して形成することができる。
【００３４】
一方、パチンコ遊技機１の組付時又はメンテナンス時等に、ガラス扉１２を前枠１１から取り外す際には、図２に示すごとく、操作部材４の操作部４２を操作して、付勢部材３５による付勢力に抗して、操作部材４を回動支点部４３及び回動受け部１２４を中心に前後方向に若干スライドさせながら回動させ、ヒンジピン３の先端部３０１を支持部材２へ後退させる（上記突出する方向とは反対方向に引き込む）。このとき、操作部材４の操作部４２を上方へ持ち上げることにより、操作部材４の連結部４１が下降し、この連結部４１に連結されたヒンジピン３が支持部材２に対して下降する。
【００３５】
これにより、操作部材４の操作部４２の操作によりヒンジピン３をスライド（下降）させる力は、操作部材４の連結部４１からヒンジピン３に直接伝達することができる。そのため、ヒンジピン３に加わる偏心荷重を効果的に減少させることができ、ヒンジピン３のスライド方向（軸方向）Ｌに、操作部材４の操作部４２の操作による荷重を直接加えることができる。
【００３６】
それ故、本例のパチンコ遊技機１のヒンジ構造１０によれば、ヒンジピン３と支持部材２（詳しくは支持部２１のヒンジ穴２１１）との間に作用する摩擦力を低減させることができ、ヒンジピン３のスライド操作を円滑に行うことができる。
【００３７】
また、本例のヒンジ構造１０は、支持部材２におけるヒンジピン３の形成位置から、操作部４２の先端までの操作距離が長い場合に、特に有効な構造である。
すなわち、図３、図４に示すごとく、近年のパチンコ遊技の演出効果の拡充により、ガラス扉１２の枠部１２１には、電飾部品等が多く配置されることにより、また、意匠効果の拡充により、ガラス扉の枠部を前面側に張り出すように形成することで、ガラス扉１２の枠部１２１における前後方向Ｄの厚み寸法が大きくなる傾向にある。
【００３８】
これに対し、ガラス扉１２の枠部１２１におけるヒンジピン３の形成位置を従来のように枠部１２１の後方位置に形成すると、ガラス扉１２を前枠１１に対して開閉する際に、ガラス扉１２の枠部１２１の側壁部１２１Ａが前枠１１の先端部１１Ａに干渉するおそれが生じる。図３においては、枠部１２１の後方位置に形成したヒンジピンを３Ｘで示し、枠部１２１の側壁部１２１Ａの回動軌跡をＸ１で示す。この場合、ガラス扉を４５°程開放させただけで枠部１２１の側壁部１２１Ａが前枠１１の先端部１１Ａに干渉してしまうことがわかる。
【００３９】
また、ガラス扉１２の開閉軸１２０の裏側周辺には、近年、パチンコ遊技機１の防犯性の強化を目的として、板金等を屈曲形成してネズミ返し的に嵌合させる構造を施している。この場合も、ヒンジピン３の形成位置を従来のように枠部１２１の後方位置に形成すると、ガラス扉１２を前枠１１に対して開閉する際に、ガラス扉１２の枠部１２１に配設した防犯用板金１２２の先端部１２２Ａが遊技盤１１０に配設したレール飾り１１４に干渉したり、ガラス扉１２の枠部１２１の後方角部１２１Ｂが前枠１１における防犯板金１１３の先端部１１３Ａに干渉するおそれが生じる。
【００４０】
図３においては、防犯用板金１２２の先端部１２２Ａの回動軌跡及び枠部１２１の後方角部１２１Ｂの回動軌跡をＸ２で示す。この場合にも、防犯用板金１２２の先端部１２２Ａがレール飾り１１４に干渉し、枠部１２１の後方角部１２１Ｂが防犯板金１１３の先端部１１３Ａに干渉してしまうことがわかる。
【００４１】
そこで、ガラス扉１２の枠部１２１におけるヒンジピン３をできるだけ枠部１２１の前方位置に形成すると共に、ヒンジピン３をスライド操作する操作部材４の長さを長くすることが考えられる。このとき、従来のヒンジピン（ヒンジピンの端部に操作部分を直接折曲形成したもの）によると操作部分の長さが長くなることにより、ヒンジピンの軸部に加わる偏心荷重（モーメント荷重）が一層大きくなり、結果として支持部材２に一層大きな摩擦力が作用し、ヒンジピン３の円滑なスライド操作を一層阻害する要因になる。
これに対し、本例の操作部材４を用いれば、操作部４２を長くしても、操作部材の操作部に係る力を、部材操作部の連結部からヒンジピンに対して、その軸方向へ移動させる力（スライドさせる力）として適切に伝達することができる。
それ故、ヒンジピンと支持部との間に作用する摩擦力を低減させることができ、ヒンジピンのスライド操作を円滑に行うことができる。
【００４２】
なお、本例の遊技機のヒンジ構造１０は、上記パチンコ遊技機１に採用するだけでなく、アレンジボール遊技機、コイン、メダル、遊技球等を遊技媒体に使用するスロットマシン等の各種遊技機に採用することができる。
【図面の簡単な説明】
【００４３】
【図１】実施例における、ヒンジピンの先端部によって開閉部材の開閉軸を形成した状態のパチンコ遊技機のヒンジ構造を示す説明図。
【図２】実施例における、ヒンジピンの先端部を支持部材へ引き込んだ状態のパチンコ遊技機のヒンジ構造を示す説明図。
【図３】実施例における、前枠に対してガラス扉を閉じた状態のパチンコ遊技機を、上方から見た状態で示す断面説明図。
【図４】実施例における、前枠に対してガラス扉を開けた状態のパチンコ遊技機を、上方から見た状態で示す断面説明図。
【図５】実施例における、パチンコ遊技機の全体を簡略的に示す正面図。
【図６】実施例における、ガラス扉の裏面側を示す裏面図。
【図７】実施例における、パチンコ遊技機のヒンジ構造を示す斜視説明図。
【符号の説明】
【００４４】
１  パチンコ遊技機
１０  ヒンジ構造
１１  前枠（枠体）
１２  ガラス扉（開閉部材）
１２０  開閉軸
２  支持部材
２１  支持部
２２  回動受け部
３  ヒンジピン
３０１  先端部
３０２  後端部
３５  付勢部材（コイルスプリング）
４  操作部材
４１  連結部
４２  操作部
４３  回動支点部
Ｌ  軸方向
【図１】
2008012057.tif 000003
【図２】
2008012057.tif 000004
【図３】
2008012057.tif 000005
【図４】
2008012057.tif 000006
【図５】
2008012057.tif 000007
【図６】
2008012057.tif 000008
【図７】
2008012057.tif 000009